(57)【要約】【課題】収容された複数枚のシートを所定の位置に簡単に位置決めすることが可能なシート収容装置及び画像形成装置を提供すること。【解決手段】ロック部材８０は、右カーソル５１の規制部５６の外側面５６Ｃにおいて、下端部がロック穴４９に進入したロック位置と、下端部がロック穴４９の上方に位置するロック解除位置との間で上下方向に移動可能に支持されている。操作レバー７０は、右カーソル５１に支持され、規制部５６の当接面５６Ａから内側へ第１幅Ｈ１だけ突出した第１位置と、当接面５６Ａから内側へ第１幅Ｈ１よりも小さい第２幅Ｈ２だけ突出した第２位置と、当接面５６Ａと面一となる第３位置との間で変位可能である。ロック部材８０は、操作レバー７０が前記第２位置から前記第３位置に変位したことに連動して前記ロック解除位置から前記ロック位置に移動する。【選択図】図６
2018016426.tif 000002
【特許請求の範囲】
【請求項１】
所定方向に給送されるシートを積載して収容可能なシート収容部と、
前記所定方向と直交する幅方向へ移動可能に前記シート収容部に設けられ、前記シート収容部に収容された前記シートの前記幅方向の側端部に当接して前記シートを所定位置に位置決めする位置決め部材と、
前記シート収容部の底面に前記幅方向に沿って形成された複数のロック穴と、を備え、
前記位置決め部材は、
前記シート収容部の底面に沿って延びる支持板と、
前記支持板から上方へ延出し、前記位置決め部材において前記側端部に当接される当接面を有する規制部と、
前記規制部の前記幅方向の外側の面において、下端部が前記ロック穴に進入したロック位置と、前記下端部が前記ロック穴の上方に位置するロック解除位置との間で上下方向に移動可能に支持されたロック部材と、
前記位置決め部材に支持され、前記当接面から前記幅方向の内側へ第１幅だけ突出した第１位置と、前記幅方向の外側へ第１押圧力で押圧されることにより前記当接面から前記幅方向の内側へ前記第１幅よりも小さい第２幅だけ突出した第２位置と、前記幅方向の外側へ前記第１押圧力よりも大きい第２押圧力で押圧されることにより前記上端部が前記当接面と面一となる第３位置との間で変位可能な作用部と、を有し、
前記ロック部材は、前記作用部が前記第２位置から前記第３位置に変位したことに連動して前記ロック解除位置から前記ロック位置に移動する、
シート収容装置。
【請求項２】
前記シート収容部に積載すべきシートにより前記第１押圧力で前記作用部を押圧することにより、前記作用部を前記第２位置に変位させて前記ロック部材を前記ロック解除位置に移動させると共に、前記位置決め部材を前記所定位置よりも外側の保持位置に移動させることが可能であり、
前記保持位置に位置している前記位置決め部材を外側から前記所定位置に向けて移動させることにより、前記シート収容部に積載されたシートを前記所定位置に向けて移動させることが可能であり、
前記所定位置において前記位置決め部材により前記第２押圧力で前記シートを整合させることにより、前記作用部を前記第３位置に変位させて前記ロック部材を前記ロック位置に移動させることが可能である、
請求項１に記載のシート収容装置。
【請求項３】
前記作用部は、前記幅方向の外側に突出するフック部を有し、
前記フック部は、前記フック部の先端部に設けられた爪部と、前記爪部よりも基端側に設けられた係合孔と、を有し、
前記ロック部材は、前記フック部が挿通される開口部と、前記開口部の開口縁から突出し、前記フック部の前記係合孔と係合する係合突起と、を有し、
前記作用部が前記第２位置から前記第３位置に変位したことに応じて前記係合突起が前記爪部の上面から前記係合孔に挿入され、係合することにより、前記ロック部材が前記ロック解除位置から前記ロック位置に移動する、
請求項１又は請求項２に記載のシート収容装置。
【請求項４】
前記ロック部材は、前記作用部が前記第１位置から前記第２位置に変位したことに連動して前記ロック位置から前記ロック解除位置に移動する、
請求項１又は請求項２に記載のシート収容装置。
【請求項５】
前記作用部は、前記幅方向の外側に突出するフック部を有し、
前記フック部は、前記フック部の先端部に設けられた爪部と、前記爪部よりも基端側に設けられた係合孔と、を有し、
前記ロック部材は、前記フック部が挿通される開口部と、前記開口部の開口縁から突出し、前記フック部の前記係合孔と係合する係合突起と、を有し、
前記爪部の当接部及び前記係合突起の被当接部の少なくとも一方に、前記幅方向の内側ほど高くなる斜面が形成されており、
前記作用部が前記第１位置から前記第２位置に変位する過程において、前記被当接部が前記当接部または前記被当接部の少なくとも一方に設けられた前記斜面に沿って摺動して前記係合突起が上昇することにより、前記ロック部材が前記ロック位置から前記ロック解除位置に移動し、
前記作用部が前記第２位置から前記第３位置に変位したことに応じて前記係合突起が前記爪部の上面から前記係合孔に挿入され、係合することにより、前記ロック部材が前記ロック解除位置から前記ロック位置に移動する、
請求項４に記載のシート収容装置。
【請求項６】
前記作用部は、上端部が前記当接面に対して出没可能であり、下端部が前記支持板に支持されたレバー部材である、
請求項１〜５のいずれかに記載のシート収容装置。
【請求項７】
前記ロック部材は、前記ロック部材を引き上げて前記ロック位置から前記ロック解除位置に移動させるための操作部を有する、
請求項１〜６のいずれかに記載のシート収容装置。
【請求項８】
請求項１〜７のいずれかに記載のシート収容装置と、
前記シート収容装置から給送されたシートに画像を形成する画像形成部と、
を備える画像形成装置。
【発明の詳細な説明】
【技術分野】
【０００１】
本発明は、複数枚のシートを収容するシート収容装置、及びシート収容装置を備える画像形成装置に関する。
【背景技術】
【０００２】
画像形成装置は、画像が印刷される用紙（シート）を収容する給紙カセット（シート収容装置）を備えている。給紙カセットは、複数の用紙を積載して収容する。給紙カセットに収容された用紙は、給送機構によって画像形成部に給送される。具体的には、給送機構のピックアップローラーが給紙カセットに収容された用紙束の最上位の用紙に接触して回転すると、ピックアップローラーがその用紙を給送方向へ送る。そして、ピックアップローラーよりも給送方向下流側に配置された給送ローラー及びリタードローラーによって、用紙が給送方向下流側へ給送される。
【０００３】
従来、給紙カセットには、収容された複数枚の用紙の位置が既定位置からずれることを防止するために、位置決め部材（カーソル）が設けられている（例えば、特許文献１参照）。前記位置決め部材は、給紙カセットの底面に移動可能に設けられている。前記位置決め部材は、給紙カセットにセットされた用紙束の位置を前記既定位置に規制する。具体的には、操作者は、給紙カセットに用紙が収容されていない状態で前記位置決め部材を用紙サイズに応じた位置に移動させ、その後、前記位置決め部材をその位置で給紙カセットの底面に固定する。前記位置決め部材の固定機構としては、前記位置決め部材に設けられたリブ又はボスを、給紙カセットの底面に設けられた位置決め溝又は位置決め穴に係合させる機構が知られている。
【先行技術文献】
【特許文献】
【０００４】
【特許文献１】特開平５−１７０３１号公報
【発明の概要】
【発明が解決しようとする課題】
【０００５】
ところで、給紙カセットに収容する用紙のサイズを変更する場合、操作者は、カーソルに設けられたロック解除レバーを把持しながら、ロック解除状態でカーソルを移動させる。そして、操作者は、給紙カセットの底面に描かれた文字又は記号を頼りに、変更後の用紙サイズに応じた所定位置にカーソルを移動させる。その後、操作者が前記ロック解除レバーを放すことにより、カーソルが前記所定位置に固定される。それから、操作者は、給紙カセットに用紙束をセットする。しかしながら、給紙カセットに収容する用紙のサイズを変更する度にこのような作業を行うことは手間である。よって、前記位置決め部材を給紙カセットの底面により簡単に固定できることが望ましい。
【０００６】
本発明は前記事情に鑑みてなされたものであり、その目的は、収容された複数枚のシートを所定の位置に簡単に位置決めすることが可能なシート収容装置及び画像形成装置を提供することにある。
【課題を解決するための手段】
【０００７】
本発明の一の局面に係るシート収容装置は、シート収容部と、位置決め部材と、複数のロック穴と、を備える。前記シート収容部は、所定方向に給送されるシートを積載して収容可能である。前記位置決め部材は、前記所定方向と直交する幅方向へ移動可能に前記シート収容部に設けられ、前記シート収容部に収容された前記シートの前記幅方向の側端部に当接して前記シートを所定位置に位置決めする。前記複数のロック穴は、前記シート収容部の底面に前記幅方向に沿って形成されている。
前記位置決め部材は、支持板と、規制部と、ロック部材と、作用部と、を有する。前記支持板は、前記シート収容部の底面に沿って延びる。前記規制部は、前記支持板から上方へ延出し、前記位置決め部材において前記側端部に当接される当接面を有する。前記ロック部材は、前記規制部の前記幅方向の外側の面において、下端部が前記ロック穴に進入したロック位置と、前記下端部が前記ロック穴の上方に位置するロック解除位置との間で上下方向に移動可能に支持されている。前記作用部は、前記位置決め部材に支持され、前記当接面から前記幅方向の内側へ第１幅だけ突出した第１位置と、前記幅方向の外側へ第１押圧力で押圧されることにより前記当接面から前記幅方向の内側へ前記第１幅よりも小さい第２幅だけ突出した第２位置と、前記幅方向の外側へ前記第１押圧力よりも大きい第２押圧力で押圧されることにより前記上端部が前記当接面と面一となる第３位置との間で変位可能である。
前記ロック部材は、前記作用部が前記第２位置から前記第３位置に変位したことに連動して前記ロック解除位置から前記ロック位置に移動する。
【０００８】
本発明の他の局面に係る画像形成装置は、前記シート収容装置と、前記シート収容装置から給送されたシートに画像を形成する画像形成部と、を備える。
【発明の効果】
【０００９】
本発明によれば、収容された複数枚のシートを所定の位置に簡単に位置決めすることが可能なシート収容装置及び画像形成装置が提供される。
【図面の簡単な説明】
【００１０】
【図１】図１は、本発明の実施形態に係る画像形成装置の内部構成を示す断面図である。
【図２】図２は、本発明の実施形態に係る画像形成装置に設けられた給紙カセットの構成を示す斜視図である。
【図３】図３は、給紙カセットに設けられた右カーソルを内側から見た斜視図である。
【図４】図４は、給紙カセットに設けられた右カーソルを外側から見た斜視図である。
【図５】図５（Ａ）は、操作レバーが第１位置に位置している状態における右カーソルの断面図であり、図５（Ｂ）は、操作レバーが第３位置に位置している状態における右カーソルの断面図である。
【図６】図６は、操作レバーが第１位置に位置している状態における右カーソルの断面図である。
【図７】図７は、操作レバーが第１位置に位置している状態における右カーソルを外側から見た斜視図である。
【図８】図８は、操作レバーが第２位置に位置している状態における右カーソルの断面図である。
【図９】図９は、操作レバーが第２位置に位置している状態における右カーソルを外側から見た斜視図である。
【図１０】図１０は、操作レバーが第３位置に位置している状態における右カーソルの断面図である。
【図１１】図１１は、操作レバーが第３位置に位置している状態における右カーソルを外側から見た斜視図である。
【図１２】図１２は、本発明の変形例に係る右カーソルの断面図である。
【発明を実施するための形態】
【００１１】
以下、適宜図面を参照して本発明の実施形態について説明する。以下に説明される実施形態は本発明を具体化した一例にすぎず、本発明の技術的範囲を限定するものではない。なお、説明の便宜上、画像形成装置１０が使用可能な設置状態（図１に示される状態）において給紙カセット３０が挿抜される面を正面（前面）として前後方向Ｄ１を定義する。また、前記設置状態の画像形成装置１０の正面を基準として左右方向Ｄ２（図２参照）を定義する。
【００１２】
図１に示されるように、画像形成装置１０は、画像形成部４、シートトレイ１８、及び給紙装置２４などを備える。
【００１３】
給紙装置２４は、給紙カセット３０（本発明の「シート収容装置」の一例）と、給送機構３２とを有する。給紙カセット３０の内部に規定サイズの印刷用紙（本発明の「シート」の一例）が収容される。給送機構３２は、給紙カセット３０に積載されている印刷用紙を一枚ずつ取り出して所定方向（以下、「給送方向」と称す）へ給送する。なお、給紙カセット３０の構成については後述する。
【００１４】
画像形成部４は、感光体ドラム、帯電装置、現像装置、一次転写ローラー、中間転写ベルト、光走査装置、二次転写ローラー、定着装置などを備えており、電子写真方式にしたがって、給紙装置２４から給送される印刷用紙に画像を形成する。
【００１５】
画像形成部４によって画像が形成された印刷用紙は、シートトレイ１８に排出される。
【００１６】
以下、給紙カセット３０について詳細に説明する。給紙カセット３０は、画像形成装置１０の筐体に着脱可能に支持されている。詳細には、給紙カセット３０は、周知のレール支持機構によって、前記筐体に対して挿抜できるようにスライド可能に支持されている。
【００１７】
図１に示されるように、給紙カセット３０は、複数枚の印刷用紙を積載して収容可能なように、上面に開口を有する矩形のトレイ形状のカセットベース４１（本発明の「シート収容部」の一例）を有する。カセットベース４１の底部４６には、用紙載置板４５が設けられている。用紙載置板４５の後端部は、カセットベース４１の底部４６に軸支されており、用紙載置板４５は、後端部を中心として搖動可能となっている。用紙載置板４５の上に印刷用紙が積載される。
【００１８】
用紙載置板４５の前側とカセットベース４１の底部４６との間には左右方向Ｄ２に沿って１対の弾性部材３４が設けられている。弾性部材３４は、例えば、コイルバネや板バネである。弾性部材３４によって、用紙載置板４５の前側は常に上方へ付勢されている。これにより、用紙載置板４５に印刷用紙が積載された状態であっても、最上位に位置する印刷用紙は、給送機構３２のピックアップローラー３２Ａの外周面に接触可能である。
【００１９】
図２に示されるように、給紙カセット３０は、収容された用紙束９０（図１０参照）を所定位置に位置決めする一対のサイドカーソル５０を備える。なお、図２では、前記一対のサイドカーソル５０のうちの一方（右側）のサイドカーソル（以下、右カーソル５１と称す）のみが示されており、他方（左側）のサイドカーソル（以下、左カーソルと称す）については図示が省略されている。また、図２では、給紙カセット３０の主要部のみが図示されており、その他の部分（例えば、用紙載置板４５、弾性部材３４、前面側に設けられた取手部、後方への印刷用紙の移動を規制する規制ガイドなど）については図示が省略されている。
【００２０】
右カーソル５１（本発明の「位置決め部材」の一例）及び前記左カーソルは、カセットベース４１の前記給送方向と直交する幅方向（左右方向Ｄ２に一致する方向）へ移動可能なようにカセットベース４１の底部４６に設けられている。本実施形態では、底部４６の幅方向の一方側（右側）に右カーソル５１が設けられており、底部４６の幅方向の他方側（左側）に前記左カーソルが設けられている。右カーソル５１及び前記左カーソルは、給紙カセット３０に収容された印刷用紙の両側端を印刷用紙のサイズに応じた既定位置に規制することにより、給紙カセット３０における印刷用紙を前記幅方向において定められた前記既定位置に位置決めする。
【００２１】
図３に示されるように、右カーソル５１は、カセットベース４１の底面に沿って前後方向Ｄ１へ延びる平板状の支持板５５と、支持板５５から上方へ延出された板状の規制部５６と、ラックギヤ６１とにより構成されている。規制部５６の内側面が、用紙束９０の側端部に当接される当接面５６Ａである。支持板５５の上面に用紙束９０の幅方向の端部が支持される。支持板５５は、底部４６において前記幅方向へスライド可能に支持されている。右カーソル５１は、カセットベース４１に収容された用紙束９０の右端部に当接して用紙束９０の位置を前記既定位置に位置決めする。
【００２２】
前記左カーソルも、右カーソル５１と同様に、底部４６にスライド支持される平板状の支持板と、当該支持板から上方へ延出された板状の規制部とにより構成されている。前記左カーソルは、底部４６において前記幅方向へスライド可能に支持されている。
【００２３】
右カーソル５１及び前記左カーソルは、互いに連動して底部４６を前記幅方向へ移動可能に構成されている。右カーソル５１及び前記左カーソルの連動移動機構としては、例えば、右カーソル５１及び前記左カーソルに設けられたラックギヤ６１（図３参照）と、底部４６に回転可能に設けられたピニオンギヤ（不図示）とからなるラック−ピニオン機構が適用可能である。これにより、操作者は、右カーソル５１だけを前記幅方向へスライドさせることにより、前記左カーソルをその動作に連動してスライドさせることができる。なお、図３には、右カーソル５１のラックギヤ６１が示されているが、ラック−ピニオン機構の他の構成は図示されていない。
【００２４】
ところで、従来の画像形成装置では、給紙カセットに収容する用紙のサイズを変更する場合、操作者は、カーソルに設けられたロック解除レバーを把持しながら、ロック解除状態でカーソルを移動させる。そして、操作者は、カセットベース４１の底部４６に描かれた文字又は記号を頼りに、変更後の用紙サイズに応じた所定位置にカーソルを移動させる。その後、操作者が前記ロック解除レバーを放すことにより、カーソルが前記所定位置に固定される。をそれから、操作者は、給紙カセットに用紙束９０をセットする。しかしながら、給紙カセットに収容する用紙のサイズを変更する度にこのような作業を行うことは手間である。よって、カーソルを給紙カセットにより簡単に固定できることが望ましい。これに対して、本実施形態の画像形成装置１０では、以下で説明するようなロック機構が設けられているので、右カーソル５１をカセットベース４１の底部４６により簡単に固定できることができる。
【００２５】
図３に示されるように、右カーソル５１には操作レバー７０（本発明の「作用部」の一例）が設けられている。操作レバー７０は、右カーソル５１をスライド移動させる際に操作される部分である。操作レバー７０は、可撓性を有する合成樹脂などで構成されている。図５（Ａ）及び図５（Ｂ）は、図３における切断面Ｖ１−Ｖ１の断面図である。図５（Ａ）及び図５（Ｂ）に示されるように、操作レバー７０の下端部は支持板５５に支持されており、操作レバー７０の上端部は、規制部５６の前後方向Ｄ１における略中央部に設けられた開口部５６Ｂにおいて、当接面５６Ａに対して出没可能となっている。
【００２６】
操作レバー７０が操作されていない状態では、操作レバー７０の位置は、図５（Ａ）に示される第１位置となっている。すなわち、前記第１位置は、操作レバー７０の初期位置である。図５（Ａ）に示されるように、前記第１位置では、操作レバー７０の上端部が当接面５６Ａから前記幅方向の内側（左側）へ第１幅Ｈ１だけ突出している。
【００２７】
操作レバー７０の上端部が前記幅方向の外側（右側）へ押されると、その押圧力に応じて、操作レバー７０の位置が、前記第１位置から第２位置（図８参照）を経て図５（Ｂ）に示される第３位置まで変位する。前記第２位置では、操作レバー７０の上端部が当接面５６Ａから前記幅方向の内側へ第１幅Ｈ１よりも小さい第２幅Ｈ２だけ突出する（図８参照）。前記第３位置では、操作レバー７０の上端部が当接面５６Ａと面一となる（図５（Ｂ）参照）。操作レバー７０の上端部が前記幅方向の外側へ第１押圧力Ｆ１で押されると、操作レバー７０は前記第２位置となり、操作レバー７０の上端部が前記幅方向の外側へ第１押圧力Ｆ１よりも大きい第２押圧力Ｆ２で押されると、操作レバー７０は前記第３位置となる。
【００２８】
操作レバー７０は、操作レバー７０の上端部において前記幅方向の外側に突出するフック部７１を有している。図６等に示されるように、フック部７１は、フック部７１の先端部（外側部）に設けられた爪部７２と、爪部７２よりも基端側（内側）に設けられた係合孔７３と、を有する。
【００２９】
図４に示されるように、右カーソル５１の規制部５６の前記幅方向の外側の面（以下、外側面５６Ｃと称す）にはロック部材８０が設けられている。カセットベース４１の底部４６には、前記幅方向に沿って２つのロック穴４９Ａ，４９Ｂ（図６参照）が形成されている。なお、これらのロック穴４９Ａ，４９Ｂを特に区別する必要が無い場合には、「ロック穴４９」と総称する。なお、本実施形態では、便宜上、２つのロック穴４９Ａ，４９Ｂのみが図示されているが、ロック穴４９の個数は任意である。ロック部材８０は、ロック部材８０の下端部がロック穴４９に進入したロック位置（例えば、図６又は図１０に示される位置）と、ロック部材８０の下端部がロック穴４９の上方に位置するロック解除位置（例えば、図８に示される位置）との間で上下方向に移動可能に外側面５６Ｃに支持されている。ロック部材８０の下端部がロック穴４９に進入している状態（図６又は図１０に示される状態）では、右カーソル５１の前記幅方向の移動が規制される。一方、ロック部材８０の下端部がロック穴４９に進入していない状態（図８に示される状態）では、右カーソル５１は前記幅方向に移動可能である。
【００３０】
図４に示されるように、ロック部材８０は、開口部８１と、開口部８１の開口縁の上端から下方に突出する係合突起８２と、を有する。開口部８１の前後方向Ｄ１における幅は、操作レバー７０のフック部７１の前後方向Ｄ１における幅よりも広くなっている。これにより、操作レバー７０が前記第１位置から前記第２位置を経て前記第３位置に変位したときに、操作レバー７０のフック部７１が、ロック部材８０の開口部８１を通って、ロック部材８０の外側へ突出可能となっている。
【００３１】
図６及び図８に示されるように、操作レバー７０が前記第１位置及び前記第２位置に位置している間は、ロック部材８０の係合突起８２の下面８２Ａ（本発明の「被当接部」の一例）は、操作レバー７０の爪部７２の上面７２Ａ（本発明の「当接部」の一例）で支持される。なお、図６に示されるように、係合突起８２の下面８２Ａ及び爪部７２の上面７２Ａは、前記幅方向の内側ほど高くなる斜面となっている。よって、操作レバー７０が前記第１位置から前記２位置に変位する過程において、係合突起８２の下面８２Ａが前記斜面に沿って摺動して、係合突起８２が上昇する。その結果、ロック部材８０が前記ロック位置から前記ロック解除位置に移動する。
【００３２】
なお、ロック部材８０の係合突起８２の前後方向Ｄ１における幅は、操作レバー７０の係合孔７３の前後方向Ｄ１における幅よりも小さくなっている。よって、図１０に示されるように、操作レバー７０が前記第２位置から前記３位置に変位すると、ロック部材８０の係合突起８２が、操作レバー７０の爪部７２の上面７２Ａから係合孔７３に挿入され、係合する。その結果、ロック部材８０は、前記ロック解除位置から前記ロック位置に移動する。
【００３３】
次に、図６〜図１１を参照して、給紙カセット３０に収容する用紙のサイズを変更する場合の操作レバー７０及びロック部材８０の動きを説明する。ここでは、給紙カセット３０に収容する用紙のサイズをＡ５サイズからＡ４サイズに変更する場合について説明する。図６、図８及び図１０は、図３における切断面Ｖ２−Ｖ２の断面図である。
【００３４】
図６において、ロック穴４９Ａは、Ａ５サイズの用紙の用紙幅に対応しており、ロック穴４９Ｂは、Ａ４サイズの用紙の用紙幅に対応している。Ａ４サイズの用紙の用紙幅はＡ５サイズの用紙の用紙幅よりも大きいため、ロック穴４９Ｂは、ロック穴４９Ａよりも前記幅方向の外側に設けられている。
【００３５】
図６では、ロック部材８０の下端部が、Ａ５サイズの用紙に対応するロック穴４９Ａに少しだけ進入している（図７参照）。したがって、この状態では、右カーソル５１はロック部材８０によってカセットベース４１の底部４６に固定されている。この状態で、操作者がＡ４サイズの用紙束９０を給紙カセット３０にセットするためには、右カーソル５１のロックを解除した状態で右カーソル５１を外側へ移動させる必要がある。
【００３６】
操作者が、給紙カセット３０にセットすべきＡ４サイズの用紙束９０を、左斜め上から右カーソル５１に向けて押し当てると、図８に示されるように、操作レバー７０が用紙束９０によって第１押圧力Ｆ１で押されて前記第１位置から前記第２位置に変位して、ロック部材８０が上昇する。その結果、ロック部材８０の下端部がロック穴４９Ａから抜けて、右カーソル５１のロックが解除される。すなわち、操作者は、図６に示されるように、右カーソル５１がロックされている状態であっても、用紙束９０を右カーソル５１に押し当てることにより、右カーソル５１のロックが解除された状態で右カーソル５１を外側（左側）へ移動させることができる。操作者は、Ａ４サイズに対応する固定位置の外側まで右カーソル５１を移動させてから、右カーソル５１への用紙束９０の押し当てをやめる。例えば、操作者は、カセットベース４１の底板４６に記されたサイズ表示、又は、手で掴んでいる用紙束９０のサイズなどを目安にして、Ａ４サイズに対応する固定位置と、その次に大きいサイズに対応する固定位置との間に右カーソル５１が位置している状態で、右カーソル５１への用紙束９０の押し当てをやめる。これにより、右カーソル５１と前記左カーソルとが適度に離れた状態で配置される。その状態で、操作者は、右カーソル５１と前記左カーソルとの間に用紙束９０を載置する。このとき、ロック部材８０の下端部の前記幅方向における位置は、図８及び図９に示されるように、Ａ４サイズの用紙の用紙幅に対応するロック穴４９Ｂよりも外側となっている。
【００３７】
続いて、操作者が、右カーソル５１及び前記左カーソルを外側から内側に向かって移動させると、給紙カセット３０に載置されている用紙束９０が、右カーソル５１又は前記左カーソルによって内側に押されて、Ａ４サイズの用紙の既定位置に移動する。その状態で、操作者が右カーソル５１及び前記左カーソルを外側から内側に向かってさらに強い力で押すと、用紙束９０が整合されると共に、図１０に示されるように、操作レバー７０は、操作者が右カーソル５１を外側から内側に向かって押す力に対応する用紙束９０からの反力（第２押圧力Ｆ２）を受けて、当接面５６Ａと面一となる位置（前記第３位置）に変位する。その結果、ロック部材８０が下降して、図１０及び図１１に示されるように、ロック部材８０の下端部が、Ａ４サイズの用紙の用紙幅に対応するロック穴４９Ｂに進入する。これにより、Ａ４サイズの用紙が既定位置に位置決めされるのと同時に、右カーソル５１がロックされる。
【００３８】
一旦図１０に示されるようなロック状態になると、操作レバー７０の上端部の前記幅方向への移動がロック部材８０によって規制されるため、操作レバー７０は前記第３位置に保持される。よって、操作レバー７０の弾性力によって用紙束９０の側面が操作レバー７０から不必要に強い力で押されてしまうことがない。
【００３９】
なお、図１１に示されるように、ロック部材８０の上端部の前後方向Ｄ１の両側面には、ロック部材８０を引き上げるために操作者によって把持される操作部８３が設けられている。よって、操作者は、給紙カセット３０に収容する用紙のサイズをＡ４サイズから他のサイズに変更したい場合に、操作部８３を掴んでロック部材８０を引き上げることによって、操作レバー７０の位置を、図１０に示されるような前記第３位置から、図６に示されるような前記第１位置（初期位置）に戻すことができる。
【００４０】
以上のように、本実施形態では、操作レバー７０が前記第２位置から前記第３位置に変位したことに連動して、ロック部材８０が前記ロック解除位置から前記ロック位置に移動する。よって、操作者は、給紙カセット３０に用紙束９０をセットした状態で右カーソル５１及び前記左カーソルを外側から内側に向かって強く押すだけで、用紙束９０の位置決め及び右カーソル５１のロックを同時に行うことができる。したがって、用紙束９０を所定の位置に簡単に位置決めすることが可能である。
【００４１】
また、本実施形態では、操作レバー７０が前記第１位置から前記第２位置に変位したことに連動して、ロック部材８０が前記ロック位置から前記ロック解除位置に移動する。よって、操作者は、用紙束９０の側面を右カーソル５１の操作レバー７０に押し当てるだけで、右カーソル５１のロックを解除すると同時に右カーソル５１を外側へ移動させることができる。したがって、ロック状態の右カーソル５１を、必要に応じて容易に移動させることができる。
【００４２】
また、本実施形態では、ロック部材８０の材料は任意である。よって、例えば、剛性を有するロック部材８０を使用することによって、用紙束９０の位置決めの精度を高めることができる。
【００４３】
なお、本実施形態では、図６に示されるように、操作レバー７０が前記第１位置（初期位置）に位置しているときに、ロック部材８０の下端部がロック穴４９に少しだけ進入している。したがって、この状態から右カーソル５１を内側に移動させるためには、操作者は、ロック部材８０の操作部８３を掴んでロック部材８０を上方に引き上げた状態で右カーソル５１を内側に移動させる必要がある。そこで、他の実施形態として、図１１に示されるように、ロック部材８０の下端部の内側部に斜面８０Ａを設けてもよい。これにより、右カーソル５１を内側に移動させると、斜面８０Ａの作用によってロック部材８０が上昇するため、操作レバー７０が前記第１位置（初期位置）に位置しているときでも、右カーソル５１を内側に簡単に移動させることが可能となる。
【００４４】
また、他の実施形態として、操作レバー７０が前記第１位置（初期位置）に位置しているときには、ロック部材８０の下端部がロック穴４９に進入しないように構成されていてもよい。
【００４５】
また、本実施形態では、操作レバー７０が弾性変形することによって、操作レバー７０の上端部が当接面５６Ａに対して出没可能となっているが、本発明はこれに限定されない。他の実施形態では、操作レバー７０の下端部が支持板５５に回動可能に支持されており、操作レバー７０の上端部が当接面５６Ａに対して内側に突出する方向に捻じりコイルばね等によって付勢されていてもよい。さらに他の実施形態では、右カーソル５１において、操作レバー７０の代わりに、当接面５６Ａと直交する方向に水平移動可能な作用部が、当接面５６Ａに対して出没可能に設けられていてもよい。この場合、前記作用部は、例えば圧縮ばね等の付勢部材によって、当接面５６Ａに対して内側に突出する方向に付勢されており、前記作用部には、前記幅方向の外側に突出するフック部７１が設けられている。そして、前記作用部が前記第３位置に変位すると、ロック部材８０が前記ロック解除位置から前記ロック位置に移動する。
【符号の説明】
【００４６】
４  画像形成部
１０  画像形成装置
３０  給紙カセット
４１  カセットベース
４６  底部
４９  ロック穴
５０  サイドカーソル
５１  右カーソル
５５  支持板
５６  規制部
７０  操作レバー
７１  フック部
７２  爪部
７３  係合孔
８０  ロック部材
８１  開口部
８２  係合突起
８３  操作部
９０  用紙束
【図１】
2018016426.tif 000003
【図２】
2018016426.tif 000004
【図３】
2018016426.tif 000005
【図４】
2018016426.tif 000006
【図５】
2018016426.tif 000007
【図６】
2018016426.tif 000008
【図７】
2018016426.tif 000009
【図８】
2018016426.tif 000010
【図９】
2018016426.tif 000011
【図１０】
2018016426.tif 000012
【図１１】
2018016426.tif 000013
【図１２】
2018016426.tif 000014